(57)【特許請求の範囲】
【請求項１】
ベゼルに対して回動可能に取り付けられその回動によりディスプレイ表示状態とディスプレイ格納状態とを取り得るディスプレイと、
該ディスプレイと同軸で回動可能に取り付けられたチルト部材、および所定荷重以上でチルト部材に対してディスプレイを回動させるチルト機構と、
前記ディスプレイ表示状態において、ベゼルに対してチルト部材を固定する固定手段と、
ディスプレイをベゼルに対して閉方向に付勢する付勢手段と、
を有するディスプレイ装置であって、
前記チルト機構が、ディスプレイ側からチルト部材側に向かって付勢された節度ボールと、チルト部材に形成され前記節度ボールが圧接される節度形状と、からなっており、
前記固定手段が、前記チルト部材に取り付けられたピン、およびディスプレイ表示状態において前記ピンと当接するロック部材からなり、
前記ロック部材に連結されたソレノイドからなる解除手段を有しており、
ディスプレイ表示状態で前記チルト部材の回動が止められているときに、前記ディスプレイに所定荷重以上加えられると、前記節度ボールが前記節度形状から移動し、前記チルト部材とは独立に前記ディスプレイのみが回動し、前記チルト部材の回動が止められている状態で前記ディスプレイに加えられる荷重が所定荷重以下のときは、前記節度ボールが前記節度形状に入り込んだままであり前記ディスプレイは回動せず、前記チルト部材の移動が前記固定手段によって止められていない状態では、前記節度ボールが前記節度形状に入り込んだまま、前記ディスプレイと前記チルト部材は一体に回動する、ディスプレイ装置。
【請求項２】
ベゼルに対して回動可能に取り付けられその回動によりディスプレイ表示状態とディスプレイ格納状態とを取り得るディスプレイと、
該ディスプレイと同軸で回動可能に取り付けられたチルト部材、および所定荷重以上でチルト部材に対してディスプレイを回動させるチルト機構と、
前記ディスプレイ表示状態において、ベゼルに対してチルト部材を固定する固定手段と、
ディスプレイをベゼルに対して開方向に付勢する付勢手段と、
を有するディスプレイ装置であって、
前記チルト機構が、ディスプレイ側からチルト部材側に向かって付勢された節度ボールと、チルト部材に形成され前記節度ボールが圧接される節度形状と、からなっており、
前記固定手段がベゼル側に取り付けられたソレノイドからなり、該ソレノイドは、前記チルト部材に設けられる切り欠きに係合して前記チルト部材を固定し前記ソレノイドが作動したときに前記切り欠きとの係合を解除するピンを備えており、
前記付勢手段の付勢力に抗してディスプレイ格納状態に前記ディスプレイを保持する、該保持が解除可能な保持手段を有しており、
ディスプレイ表示状態で前記チルト部材の回動が止められているときに、前記ディスプレイに所定荷重以上加えられると、前記節度ボールが前記節度形状から移動し、前記チルト部材とは独立に前記ディスプレイのみが回動し、前記チルト部材の回動が止められている状態で前記ディスプレイに加えられる荷重が所定荷重以下のときは、前記節度ボールが前記節度形状に入り込んだままであり前記ディスプレイは回動せず、前記チルト部材の移動が前記固定手段によって止められていない状態では、前記節度ボールが前記節度形状に入り込んだまま、前記ディスプレイと前記チルト部材は一体に回動する、ディスプレイ装置。
【発明の詳細な説明】
【０００１】
【発明の属する技術分野】
本発明は、表示状態と格納状態にできるディスプレイ装置に関する。
【０００２】
【従来の技術】
ディスプレイの表示面を、表示状態と格納状態に任意に動かすことのできるディスプレイ装置が知られている。表示状態や格納状態に動かすには、手動で、もしくはたとえば特開平８−９２９１号に開示されているようにモータにより行う。
ディスプレイ装置がたとえば自動車室内に設けられている場合、自動車室内あるいは室外の照明光などがディスプレイ表示面に反射したり、また、身長の違いなどにより、ディスプレイに向けられる視線の高さがディスプレイ表示面を見る人によって異なることから、ディスプレイの表示状態の角度（傾斜）が一定ではディスプレイが見づらいことがある。そのため、表示位置でのディスプレイの傾斜を調整できるようにしたディスプレイ装置が知られている。これにより見やすい角度にディスプレイを調節することができる。
【０００３】
【発明が解決しようとする課題】
しかし、上記従来装置にはつぎの問題がある。
ディスプレイの作動にモータ等の駆動源を用いると部品点数が増えるため、コストが比較的高くなり、重量も増える。
また、手動方式にすると、モータ等を用いるものに比べ部品点数が少なくコストが低く抑えられるが、操作性が悪くなる。また、ディスプレイ表示位置の傾斜を調節してもいったん格納位置にした後は、再度表示位置の傾斜を調節する必要がある。
本発明の課題は、ディスプレイを表示状態から格納状態に、もしくは格納状態から表示状態にする動作をモータを用いることなく自動化し、かつディスプレイ表示状態でのディスプレイの傾斜を調節したあとはその傾斜位置が記憶されて傾斜を調節しなおす必要のないディスプレイ装置を提供する。
【０００４】
【課題を解決するための手段】
上記課題を解決する本発明は、つぎの通りである。
本発明の全実施例に共通するディスプレイ装置は、たとえば図１〜図３に示すようにつぎのものからなる。ただし本発明の全実施例に共通する部分には全実施例にわたって共通の符号を付してある。
ベゼル１に対して回動可能に取り付けられその回動によりディスプレイ表示状態とディスプレイ格納状態とを取り得るディスプレイ１００と、ディスプレイ１００と同軸で回動可能に取り付けられたチルト部材２、および所定荷重以上でチルト部材２に対してディスプレイ１００を回動させるチルト機構２００と、ディスプレイ表示状態において、ベゼル１に対してチルト部材２を固定する固定手段３００と、ディスプレイ１００をベゼルに対していずれかの方向に付勢する付勢手段３と、付勢手段３の付勢力に抗してディスプレイ表示状態あるいはディスプレイ格納状態のいずれかにディスプレイ１００を保持する、保持が解除可能な保持手段４００と、を有する。
【０００５】
チルト機構２００は、図４、図５に示すように、ディスプレイ側からチルト部材側に向かって付勢された節度ボール２１０と、チルト部材２に形成され節度ボール２１０が圧接される節度形状２２０と、からなっている。
【０００６】
本発明の第１実施例のディスプレイ装置は、図１〜図９に示すようにつぎのものからなる。
固定手段３００が、チルト部材２に取り付けられたピン３１０、およびディスプレイ表示状態においてピン３１０と当接するロック部材３２０からなり、付勢手段３がディスプレイを閉方向に付勢するスプリングからなり、保持手段４００がディスプレイ表示状態においてピン３１０に当接するロック部材３２０からなり、保持手段４００の保持を解除するための、ロック部材３２０に連結されたソレノイド５１０からなる解除手段５００を有している。
【０００７】
本発明の第２実施例のディスプレイ装置は、図１０〜図１１に示すようにつぎのものからなる。
固定手段３００がベゼル側に取り付けられたソレノイド３５０からなり、付勢手段３がディスプレイ１００を開方向に付勢するスプリングからなり、保持手段４００がディスプレイに固定したピン４２０と、ベゼル側に固定したハートカム４３０からなる。
【０００８】
上記本発明の全実施例に共通するディスプレイ装置では、ディスプレイをベゼルに対していずれかの方向に回動付勢する付勢手段３を有するので、ディスプレイの表示状態から格納状態へ、もしくは格納状態から表示状態への動作が自動となる。
また、チルト機構２００を備え、表示状態にあるディスプレイ１００を所定荷重以上でチルト部材２に対して回動させるので、表示状態のディスプレイ１００の表示位置（傾斜）を任意に調節でき、調節した傾斜を保ったまま格納状態へ動作させることができる。そして、再度表示状態にしたときには、ディスプレイの表示位置は先に調節した状態のままとされている。
【０００９】
チルト機構２００は、ディスプレイ側からチルト部材側に向かって付勢された節度ボール２１０と、チルト部材２に形成され節度ボール２１０が圧接される節度形状２２０と、からなっているので、ディスプレイ表示状態でチルト部材２の回動が止められているときに、ディスプレイ１００に開もしくは閉方向に所定荷重以上加えられると、節度ボール２１０が節度形状２２０から移動し、チルト部材２とは独立にディスプレイ１００のみが回動する。チルト部材２の回動が止められている状態でディスプレイ１００に加えられる荷重が所定荷重以下のときは、節度ボール２１０が節度形状２２０に入り込んだままでありディスプレイ１００は回動しない。チルト部材２の移動がロック部材３２０によって止められていない状態では、節度ボール２１０が節度形状２２０に入り込んだまま、ディスプレイ１００とチルト部材２１０は一体に回動する。
【００１０】
本発明の第１実施例のディスプレイ装置では、ディスプレイを閉方向に付勢するスプリングを備えているので、ディスプレイの表示状態から格納状態への動作が自動となる。
【００１１】
本発明の第２実施例のディスプレイ装置では、ディスプレイを開方向に付勢するスプリングを備えているので、ディスプレイの格納状態から表示状態への動作が自動となる。
【００１２】
【発明の実施の形態】
各実施例を説明する。各実施例は自動車用のディスプレイ装置を例にとっている。
本発明の第１実施例を、図１〜図９を参照して説明する。
ディスプレイ１００は図示されないディスプレイ本体（液晶ディスプレイ等）と、ディスプレイ本体を保持するケース１２０と、ケース１２０に固定されるドア１３０を有する。
ベゼル（ハウジング）１、リテーナ７、レール８は自動車室内のたとえばインストルメントパネルに固定されている。ベゼル１は車室に向かって開口する窓部を有している。リテーナ７は、ベゼル１と対向する位置に配置され、ディスプレイ１００を収納する部分を構成している。レール８はリテーナ７の両側に取り付けられている。
ケース１２０は軸４を中心に回動可能にピン５１によってレール７に取り付けられ、ディスプレイ１００は軸４まわりに回動する。
ケース１２０の内壁面にはラック１２１が取り付けられ、ラック１２１にはダンパー９のギヤが噛み合っており、ケース１２０が緩やかに回動するようにされている。
【００１３】
ディスプレイ１００は、ディスプレイ表示状態ではディスプレイ１００の表示面がベゼル１の窓部から表出し、ディスプレイ格納状態ではディスプレイ１００のドア１３０がベゼル１の窓部から表出し表示面が隠れる。
【００１４】
ディスプレイ１００のケース１２０と、レール８との間にはスプリング（付勢手段）３が介在され、ディスプレイ１００は常に閉じる方向（前回りする方向）に付勢されている。
【００１５】
ケース１２０にはケース１２０の回動軸４と同軸で回動するチルト部材２がピン５１によって取り付けられている。チルト部材２はケース１２０とレール８の間に挟まれて、ピン３１０がレール８側に突出している。ピン３１０はレール８に設けられた円弧状の長孔８ａを貫通している。長孔８ａは回動軸４を軸に回動するチルト部材２に設けられたピン３１０の回動軌跡に沿った形状とされている。
【００１６】
ケース１２０とチルト部材２の間には節度ボール２１０が設けられている。節度ボール２１０はスプリング２３０によってケース１２０からチルト部材２に向けて付勢さている。また、節度ボール２１０が当たる部分のチルト部材２には節度ボール２１０を保持持可能な凹状の節度形状２２０が複数、たとえば、前側（車室側からインストルメントパネルに取り付けられたディスプレイ装置を見たときにおける前側）から順に２２１、２２２、２２３の３つ施されている。
【００１７】
レール８には上下方向に延びるロック部材３２０が回動可能にピン５２によって取り付けられている。ロック部材３２０はスプリング３４０により常に後ろ回りに付勢されている。ロック部材３２０の下側端部は、ソレノイド５１０と連結している。ソレノイド５１０は、たとえば、図示されないＯＮスイッチにより、一定時間通電し作動する。
ソレノイド５１０は非作動時、ロック部材３２０に外力が加えられていない状態では、図２に示すように、初期位置にあり、ロック部材３２０の先端が長孔８ａ内の前側端部に位置する。ソレノイド５１０はロック部材３２０がこれ以上後ろ回りに回動することを防ぐ。
ＯＮスイッチのＯＮなどによりソレノイド５１０が所定時間、後方に位置するように制御される場合、スイッチがＯＮとされたあとの所定時間は、図３の実線に示すように、ソレノイド５１０が後退する。そのためロック部材３２０は前回りに回動する。所定時間経過後は、ソレノイド５１０が初期位置に戻るので、ロック部材３２０は先端が長孔８ａ内の前側端部に位置する。
【００１８】
ディスプレイ１００が表示状態の所定位置より後ろ側に回動しないようにするために、ディスプレイ表示状態においてロック部材３２０と反対方向からチルト部材２に当たるストッパ部３３０が備えられていてもよい。チルト部材２とベゼル１とを当接させるなど、チルト部材２の一部と、ベゼルと実質固定されている部分とを当接されればよい。ただし、ケース１２０とベゼルを当接させると場合によってはディスプレイ表示位置の調節ができなくなるので、ケース１２０とベゼル１とを当接させる必要はない。
【００１９】
格納状態にあるディスプレイ１００が、さらに閉方向に回動しないようにするために、たとえば、格納状態でケース１２０とベゼル１とは当接する。あるいは、ケース１２０と一体的に回動する部分と、ベゼル１に実質固定されている部分とを当てるようにしてもよい。ただし、チルト部材２をケース１２０に当てて回動を止めることはしない。また、チルト部材２のピン３１０は長孔８ａの後部端に当たらないことが望ましい。
【００２０】
上記装置の作動を説明する。
ディスプレイ表示状態では、図２に実線で示すように、スプリング３の付勢力にさからって、ディスプレイ本体の表示面がベゼル１の窓部から表出された状態でディスプレイ１００は保持されている。
このときロック部材３２０は下側端部に連結されたソレノイド５１０が作動（通電）しておらず初期位置にあるので、先端が長孔８ａ内の前側端部に位置し、さらに後ろ回りに回動することが阻止されている。
ロック部材３２０は上側端がレール８の長孔８ａから突出したチルト部材２のピン３１０の後部に当接し、長孔８ａ内をピン３１０が移動するのを止めている。ピン３１０が移動しないのでピン３１０が取り付けられているチルト部材２は回動せず、よってチルト部材２と一体に回動可能なディスプレイ１００は回動せず、表示状態を維持する。
【００２１】
つぎに、図２に実線で示すように表示状態にあるディスプレイ１００が図３に実線で示す格納状態になる作動を説明する。
まず、ＯＮスイッチのＯＮなどにより通電し、ソレノイド５１０を所定時間後退させる。ロック部材３２０はソレノイド５１０の後退に伴って前回りに回動する。このため、ピン３１０の下方にロック部材３２０が移動するので、ピン３１０は長孔８ａ内の移動が許容され、ピン３１０が取り付けられているチルト部材２の回動が許容され、チルト部材２と一体に回動可能なディスプレイ１００がスプリング３の付勢力により閉方向（前回り）に回動する。ディスプレイ１００は、ケース１２０がベゼル１に当接して回動が止まり、格納状態（図３）となる。
ソレノイド５１０の通電が一定時間（１〜数秒程度）で止まると、ロック部材３２０はスプリング３４０の付勢力により後ろ回りに回動する。ソレノイド５１０は初期位置に戻るので、ロック部材３２０は、先端が長孔８ａ内の前側端部に達したところで回動が止まる。通電時間が短いことからバッテリの消費電力を抑えることができる。
また、ソレノイド５１０の作動はスイッチによるだけではなく、イグニッションキーのオフなどに連動させることもでき、このようにすることによりディスプレイ１００の閉じ忘れを防ぐことができる。
【００２２】
つぎに、図３に実線で示す格納状態にあるディスプレイ１００が、図２に実線で示す表示状態になる作動を説明する。
格納状態にあるディスプレイ１００を、手動で開方向に回動させると、レール８の長孔８ａの後部にあるチルト部材２のピン３１０は、長孔８ａ内をロック部材３２０の上側端部を押し下げつつ前方に移動する。ピン３１０がレール８の長孔８ａの前側端に至ると、ロック部材３２０はスプリング３４０の付勢力により後ろ回りに回動するが、ソレノイド５１０によって、先端が長孔８ａ内の前側端部に位置したところで回動が止められる。その状態で、手動によるディスプレイ１００の開方向への回動が止められると、スプリング３の付勢力によって閉方向へ付勢されているディスプレイ１００は閉方向に回動することになるが、ロック部材３２０の前端がピン３１０の後部に当接し、ピン３１０が長孔８ａ内を後方に移動するのを阻止しているので、回動が止められ表示状態を維持する。
【００２３】
ストッパ部３３０がある場合には、ストッパ部３３０によりディスプレイ１００の開方向の回動が止められた時点で、手動によるディスプレイ１００の回動を止めればよい。
【００２４】
つぎに、ディスプレイ表示状態でのディスプレイ１００の表示位置（傾斜）の調節（チルト機構２００）について説明する。
ケース１２側から付勢された節度ボール２１０はチルト機構２００の複数の凹部からなる節度形状２２０に圧接しているため、ロック部材３２０によってピン３１０の回動が阻止されていない状態では、ディスプレイ１００とチルト部材２は一体的に回動し、ディスプレイ表示状態とディスプレイ格納状態を切り替えることができる。
図２に実線で示すディスプレイ表示状態でディスプレイ１００を手動により下方に押し下げても、チルト部材２はピン３１０の後部にロック部材３２０の前端が当接してピン３１０の後方への移動を阻止しているため移動することはない。しかし、ディスプレイ１００を押し下げる力が、節度形状（凹部）２２０の２２１から節度ボール２１０が移動可能な力以上（所定荷重以上）となると、節度ボール２１０が移動するとともにチルト部材２とは独立してディスプレイ１００のみが閉方向に回動する。そして、図６に実線で示すように、節度ボール２１０が隣の凹部２２２に入り込むと、ディスプレイ１００はその位置で回動を静止する。このように、ディスプレイ表示状態において手動によりディスプレイ１００を動かすことによりディスプレイ１００の傾斜を変えることができる。
なお、ディスプレイ表示状態において、図２に示すように、節度ボール２１０が節度形状２２０の最前部の凹部２２１に入り込んでいる状態からは、ディスプレイ１００をさらに閉方向に回動させて傾斜を変えることはできない。
また、ディスプレイ表示状態において、図８に示すように、節度ボール２１０が節度形状２２０の最後部の凹部２２３に入り込んでいる状態からは、ディスプレイ１００を開方向に回動させることはできない。
【００２５】
たとえば、図６に示すように、節度ボール２１０が節度形状２２０の中央部の凹部２２２に入り込んで、ディスプレイ表示状態にディスプレイ１００がある状態で、ソレノイド５１０が作動すると、チルト部材２のピン３１０の後部とロック部材３２０前端の当接が解除され、ディスプレイ１００およびチルト部材２はスプリング３の付勢力により一体的に閉方向に回動し、図７に示すようにディスプレイ格納状態となる。ディスプレイ１００が回動する間、ディスプレイ１００とチルト部材２とは相対動しない。したがって、ディスプレイ格納状態にする直前のディスプレイ表示（傾斜）位置が実質的に記憶された状態となっており、ディプレイ格納状態から表示状態にする度に、ディスプレイ表示位置を調節する必要がない。
節度ボール２１０が節度形状２２０の凹部のどこに位置しても同様にディスプレイ表示位置は記憶される。図８に示すように、ディスプレイ表示状態で、節度ボール２１０が節度形状の最後部の凹部２２３に入り込んでいる状態で、ディスプレイを格納状態にしても、図９に示すように節度ボール２１０は凹部２２３に入り込んだままであり、ディスプレイの傾斜は実質的に記憶されている。
以上の構造により、モータ等の駆動源を用いることなく、半自動かつチルト機構を備えたディスプレイ装置を実現することができる。
【００２６】
つぎに、第２実施例を示す。
第２実施例のディスプレイ装置は、スプリング３によってディスプレイ１００が開方向に付勢されている。
ディスプレイ１００のケース１２０には外側に突出したピン４２０が設けられている。ピン４２０はベゼル側に形成されたハート形状の溝を有するハートカム４３０に係合可能とされている。ピン４２０とハートカム４３０で保持手段４００を構成する。
ベゼル側には固定手段３００であるソレノイド３５０が固定されている。ソレノイド３５０の先端からはピン４２０が突出している。ピン４２０は図示されないスプリングにより突出方向に付勢されている。
チルト部材２の下側端には傾斜面を備えるカム２ａが設けられている。カム２ａにはピン４２０が係合可能な切り欠きが設けられている。
【００２７】
つぎに、作動を説明する。
まず、格納状態にあるディスプレイが表示状態になる作動を説明する。
ディスプレイ１００は格納状態ではケース１２０のピン４２０が図１２に示すようにハートカム４３０の係止位置ｃに位置し、ハートカム４３０と係合している。この状態からディスプレイ１００を下方に押すと、ピン４２０はハートカム４３０の溝の奥部ｄに移動する。そしてディスプレイ１００への押し力を解除すると、ピン４２０はハートカム外のｅ方向へ向けてハートカム内を移動して、ハートカム４３０との係合が解除される。そしてディスプレイ１００はスプリング３の付勢力により開方向（後ろ回り）に回動する。
ディスプレイ１００の回動に伴ってチルト部材２も一体となって回動する。チルト部材２の回動に伴い、ソレノイド３５０のピン３５１がチルト部材２の下端のカム２ｂに当接し、ソレノイド３５０のピン３５１がカム２ａの切り欠き２ｂに係合した状態でディスプレイ１００の回動は静止し、ディスプレイ表示状態となる。
【００２８】
ディスプレイ１００はチルト部材２と相対的に回動可能とされており、前記第１実施例に準じるチルト機構２００により、ディスプレイ表示状態にあるディスプレイの表示位置（傾斜）を調節することができる。
【００２９】
つぎに、表示状態にあるディスプレイが格納状態になる作動を説明する。
ディスプレイ表示状態から、ソレノイド３５０を作動させる、図示されないスイッチを操作すると、ソレノイド３５０のピン３５１が引っ込み、チルト部材２のカム２ａの切り欠き２ｂとの係合が解除される。そのうえで、ディスプレイ１００を手動により閉方向に回動すると、その回動に伴いケース１２０のピン４２０が図１２のａに示す位置からハートカムの溝内に入り、溝の奥部ｂに向かって移動する。そして、ディスプレイ１００への押し力を解除すると、ピン４２０はハートカム４３０の係止位置ｃに導かれる。その結果、ディスプレイ１００の開方向への回動が阻止され、図１１に示すように、ディスプレイ格納状態となる。
【００３０】
以上のようにディスプレイ格納状態ではベゼル側にディスプレイ１００（ケース１２）が保持され、ディスプレイ表示状態ではベゼル側にチルト部材２が保持されるため、ディスプレイ表示状態で調節されたディスプレイ１００の表示位置（傾斜）は通常の操作では変わることなく、前記第１実施例と同様にディスプレイ表示位置が実質的に記憶されることになる。
【００３１】
ケースの付勢方向を開く方向にしているので、ディスプレイ表示状態にする際には手でケースを大きく回動させる必要がなくワンタッチ操作でよい。
【００３２】
【発明の効果】
請求項１のディスプレイ装置によれば、チルト機構により、所定荷重以上でチルト部材に対してディスプレイが回動するので、表示状態のディスプレイの表示位置（傾斜）を任意に調節できる。また、調節した傾斜を保ったまま格納状態へ動作させることができるので、再度表示状態にしたときには、ディスプレイの表示位置は先に調節した状態のままとされており、調節しなおす必要がない。
また、チルト機構は、ディスプレイ側からチルト部材側に向かって付勢された節度ボールと、チルト部材に形成され節度ボールが圧接される節度形状と、からなっているので、ディスプレイ表示状態でチルト部材の回動が止められているときにディスプレイに開もしくは閉方向に所定荷重以上加えられたとき、節度ボールが節度形状から移動し、チルト部材とは独立にディスプレイのみが回動し、ディスプレイ傾斜を調節できる。
また、ディスプレイを閉方向に付勢するスプリングを備えているので、ディスプレイの表示状態から格納状態への動作が自動となる。
請求項２のディスプレイ装置によれば、チルト機構により、所定荷重以上でチルト部材に対してディスプレイが回動するので、表示状態のディスプレイの表示位置（傾斜）を任意に調節できる。また、調節した傾斜を保ったまま格納状態へ動作させることができるので、再度表示状態にしたときには、ディスプレイの表示位置は先に調節した状態のままとされており、調節しなおす必要がない。
また、チルト機構は、ディスプレイ側からチルト部材側に向かって付勢された節度ボールと、チルト部材に形成され節度ボールが圧接される節度形状と、からなっているので、ディスプレイ表示状態でチルト部材の回動が止められているときにディスプレイに開もしくは閉方向に所定荷重以上加えられたとき、節度ボールが節度形状から移動し、チルト部材とは独立にディスプレイのみが回動し、ディスプレイ傾斜を調節できる。
また、ディスプレイを開方向に付勢するスプリングを備えているので、ディスプレイの格納状態から表示状態への動作が自動となる。
【図面の簡単な説明】
【図１】本発明の第１実施例のディスプレイ装置の分解斜視図である。
【図２】本発明の第１実施例のディスプレイ装置の断面図である。
【図３】本発明の第１実施例のディスプレイ装置の断面図である。
【図４】図３のＡ−Ａ線断面図である。
【図５】図３のＢ−Ｂ線断面図である。
【図６】本発明の第１実施例のディスプレイ装置の断面図である。
【図７】本発明の第１実施例のディスプレイ装置の断面図である。
【図８】本発明の第１実施例のディスプレイ装置の断面図である。
【図９】本発明の第１実施例のディスプレイ装置の断面図である。
【図１０】本発明の第２実施例のディスプレイ装置の断面図である。
【図１１】本発明の第２実施例のディスプレイ装置の断面図である。
【図１２】本発明の第２実施例のディスプレイ装置のハートカムの溝にピンが導かれる順を説明する図である。
【符号の説明】
１  ベゼル
２  チルト部材
２ａ  カム
３  付勢手段（スプリング）
４  軸
１００  ディスプレイ
２００  チルト機構
２１０  節度ボール
２２０  節度形状
３００  固定手段
３１０  ピン
３２０  ロック部材
３５０  ソレノイド
４００  保持手段
４２０  ピン
４３０  ハートカム
５００  解除手段
５１０  ソレノイド
【図１】
0003950221.tif 000002
【図２】
0003950221.tif 000003
【図３】
0003950221.tif 000004
【図４】
0003950221.tif 000005
【図５】
0003950221.tif 000006
【図６】
0003950221.tif 000007
【図７】
0003950221.tif 000008
【図８】
0003950221.tif 000009
【図９】
0003950221.tif 000010
【図１０】
0003950221.tif 000011
【図１１】
0003950221.tif 000012
【図１２】
0003950221.tif 000013